(57)【要約】【課題】座奥調整が簡便確実で、座体の奥行き寸法がロックされるようにした椅子の座奥調整装置を提供する。【解決手段】前端付近に座の幅方向に複数のスリットが形成された可撓部１２ａが設けられた合成樹脂製のクッション受け１２を、金属製の座フレーム１５に固設し、上面に座クッション１１を固設している。そして、座フレーム１５の前端部にクッション受け１２の前端部と連結されたスライダ１４を座フレーム１５の裏面を後方へ摺動自在に設けている。座フレーム１５の側端に設けたフランジ１５ｃに、複数個の係止溝１５ｄを設けるとともに、係止溝１５ｄに係合する係止爪１８ａと回動レバー１８ｂからなる係止部材１８をスライダ１４に設けている。【選択図】  図３
2015092904.tif 000002
【特許請求の範囲】
【請求項１】
座面の前端部を下方へ折り曲げて座面の奥行き寸法を変更するようにした椅子の座奥調整装置において、前端付近に座の幅方向に複数のスリットを形成した可撓部を設けた合成樹脂製のクッション受けを、その可撓部より後方を金属製の座フレームに固設し、該座フレームの前端部に該クッション受けの前端部と連結されたスライダを該座フレームの裏面を後方へ摺動自在に設け、該座フレームの側端に複数個の係止溝を設けるとともに、該係止溝に係合する係止部材を該スライダに設けたことを特徴とする椅子の座奥調整装置。
【請求項２】
前記座フレームの前部側を側端に平板のフランジが形成された断面ハット状とし、前記スライダの両側に該フランジが嵌合するコ字状のガイドを設け、前記複数個の係止溝は、前記座フレームの左右のいずれか一方のフランジに形成し、前記係止部材は、該フランジの複数個の係止溝に係合する係止爪と該係止爪を上下方向に回動させる回動レバーを連結して設け、該回動レバーを操作して該係止爪を回動させることにより該係止溝に係脱させるようにしたことを特徴とする請求項１記載の椅子の座奥調整装置。
【発明の詳細な説明】
【技術分野】
【０００１】
本発明は、座面の前端部を下方へ曲げて、座の奥行きを調整できるようにした椅子に関するものである。
【背景技術】
【０００２】
オフィス用の椅子では、着座者の体格によって、座の前端部に可撓性を持たせて下方へ曲げて座の奥行き寸法を変えることができるようにしたものがある（例えば、特許文献１参照）。なお、座の奥行きを変える手段として、座クッションを取り付けた座フレームを、脚の上端の支持フレームにスライドできるようにしたものがあるが、座の前後方向の位置によってクッション性能が異なり一定にすることが難しいという欠点がある。
【０００３】
特許文献１の座奥調整装置は、座部が可撓変形可能な座本体と、前端部を下方へ湾曲し得るサポート部材とを備えて、前端部を可動部として設定し、駆動装置に巻かれた紐状又はベルト状牽引具の一端部を取り付けている。そして、駆動装置を作動させることにより座部の前端部を湾曲させて座奥寸法を縮小し、牽引を緩めることにより奥行き寸法が大きくなるようにしている。
【先行技術文献】
【特許文献】
【０００４】
【特許文献１】特許第４５３０５１５号公報
【発明の開示】
【発明が解決しようとする課題】
【０００５】
特許文献１の座奥調整装置は、少ない部品で座面の座奥寸法を変更でき、軽量でコンパクトに構成できる。しかしながら、この構成は、座面の先端部に連結した紐状又はベルト状牽引具を駆動装置で巻き込むことによっており、座奥寸法が完全にロックされていないので変動しやすく、着座状態によっては座奥寸法が変更されてしまうという問題がある。  また、座本体およびサポート部材とも可撓性のもので構成されているので、座奥調整装置にかかる着座者の体重が、調整作業に影響するという問題もある。
【０００６】
そこで、本発明は、着座者の体重に関係なく座奥調整が簡便確実で、座奥寸法が確実にロックされるようにした椅子の座奥調整装置を提供することを目的としている。
【課題を解決するための手段】
【０００７】
上記の目的を解決するため、本発明の椅子の座奥調整装置は、次のように構成した。すなわち、座面の前端部を下方へ折り曲げて座面の奥行き寸法を変更するようにした椅子の座奥調整装置において、前端付近に座の幅方向に複数のスリットを形成した可撓部を設けた合成樹脂製のクッション受けを、その可撓部より後方を金属製の座フレームに固設し、該座フレームの前端部に該クッション受けの前端部と連結されたスライダを該座フレームの裏面を後方へ摺動自在に設け、該座フレームの側端に複数個の係止溝を設けるとともに、該係止溝に係合する係止部材を該スライダに設けたことを特徴としている。
【０００８】
クッション受けは、上面に座クッションが取り付けられ、合成樹脂製で前端付近に座の幅方向に複数のスリットを形成した可撓部が設けられている。なお、可撓部の長さは調整する座奥寸法とすればよい。
クッション受けは、鉄やアルミなどの金属製で制作された座フレームに固定される。前端部は下方へ折れ曲がるので、可撓部より後方のみが取り付けられる。クッション受けの形状は複雑になるので、合成樹脂製の座カバーと分割するとよい。
【０００９】
クッション受けの先端部にはスライダが連結されている。スライダは座フレームの裏面を後方へ摺動可能に取り付ける。そして、座フレームの側端に複数個の係止溝が設けられ、該スライダに該係止溝と係合する係止部材が設けられている。スライダを移動させて、係止部材を係止溝に係合させてその位置にロックするようにしている。
【００１０】
具体的な構成については、特に限定しないが、請求項２に記載の構成とするとよい。すなわち、座フレームの前部側を側端に平板のフランジが形成された断面ハット状とし、スライダの両側に該フランジが嵌合するコ字状のガイドを設ける。そして、複数個の係止溝は、座フレームの左右いずれか一方のフランジに形成し、係止部材は、該フランジの複数個の係止溝に係合する係止爪と該係止爪を上下方向に回動させる回動レバーを連結して設ける。
座奥調整は、該回動レバーを操作して係止爪を回動させることにより該係止溝から外して、前後に移動させて、適宜のところで係止爪を係止溝へ係合させる。
【発明の効果】
【００１１】
本発明の椅子の座奥調整装置は、前端付近に可撓部を設けたクッション受けを金属製の座フレームに固設し、座フレームの前端部にクッション受けの前端部と連結されたスライダを該座フレームの裏面を後方へ摺動自在に設け、座フレームの側端に複数個の係止溝を設けるとともに係止溝に係合する係止部材をスライダに設けたので、着座者の体重の影響をほとんど受けずに、スライダを移動させて係止爪を係止溝へ簡便確実に係合させることができる。座奥寸法は、係止爪が係止溝に係合しているので確実にロックされる。
【図面の簡単な説明】
【００１２】
【図１】本発明の座奥調整装置を備えた椅子の全体を示す斜視図である。
【図２】同、座奥調整装置の部品の展開斜視図である。
【図３】同、クッション受けと座カバーを外した状態を示す斜視図である。
【図４】同、図３でスライダを外した状態を示す斜視図である。
【発明を実施するための形態】
【００１３】
本発明の椅子の座奥調整装置の実施の形態を、オフィス用の椅子に適用した例で図面に基いて、説明する。
図１は、オフィス用の椅子の全体を示す斜視図であり、図２は、座体の構成部品を示す分解斜視図である。また、図３は座クッションを取り付けたクッション受けを取り外した状態を示す斜視図、図４は、さらに、スライダを取り外した状態を示す斜視図である。
【００１４】
この椅子は、脚柱１にキャスタ１ｂを備えた４本の脚１ａが取り付けられ、脚柱１の上端に支持フレーム（図示してない）が固設されている。そして、支持フレームに背もたれ２を固設した背フレーム２ａが後傾可能に取り付けられるとともに、座体１０が取り付けられている。
【００１５】
座体１０は、図２に示すように、座クッション１１、クッション受け１２、座カバー１３、スライダ１４、および座フレーム１５から構成されている。
座クッション１１は、ウレタンフォームの表面にクロスが張られた一般的なものを使用している。
【００１６】
クッション受け１２は、合成樹脂製であり、前端寄りに座の幅方向に複数個のスリット１２ｂとΩ状の繋ぎ１２ｃとからなる可撓部１２ａが形成されている。
スリット１２ｂは、クッション受け１２の幅方向全長に亘って形成され、繋ぎ１２ｃは両端においてスリット１２ｂ間を跨ぐように形成されている。
可撓部１２ａの前後方向の長さは、調整する座奥寸法としている。
クッション受け１２の先端部にはスライダ１４と連結するための連結材１２ｄが設けられている。
【００１７】
座カバー１３は、クッション受け１２の後部裏面に取り付けられる合成樹脂製の部材で、座フレーム１５に固定される。
スライダ１４は、クッション受け１２の前部裏面に取り付けられる合成樹脂製の部材で、座フレーム１５の前部に係合して設けられている。
スライダ１４には、座フレーム１５のフランジ１６が嵌合する断面がコ字状のガイド１４ａが左右にそれぞれ設けられている。また、前端部にはクッション受け１２の連結材１２ｄと連結するための連結材１４ｂが付設されている。
【００１８】
座フレーム１５は、鋼板製であり、左右２本の基材１５ａの前部側を継板１５ｂで固設している。継板１５ｂは、左右端に水平なフランジ１５ｃを形成した断面がハット状に形成している。そして、一方（ここでは、右側）のフランジ１５ｃに多数の係止溝１５ｄが設けられている。
基材１５ａは、その後端が連結ピン１６で背フレーム２ａに連結され、前端は、支持フレームに摺動可能に取り付けられている。図において１７はブッシュで、支持フレームに取り付けたスライドピンが嵌合している。
そして、スライダ１４の右側端には該係止溝１５ｄに係合する係止爪１８ａと回動レバー１８ｂからなる係止部材１８が設けられている。
【００１９】
図３は、座クッション１１を取り付けたクッション受け１２を取り外して上から見たもので、座フレーム１５のフランジ１５ｃがスライダ１４のガイド１４ａに嵌合している状態を示すものである。
図４は、さらに、スライダ１４を取り外した状態を示す斜視図で、フランジ１５ｃに設けた係止溝１５ｄに係止部材１８が係合している状態を示している。
【００２０】
次に、このように構成された座奥調整装置の作用について説明する。
着座している人が、座奥寸法を変えたいと思ったときは、着座したまま、スライダ１４の前端付近の回動レバー１８ｂを上方へ回転させて、係止爪１８ａを係止溝１５ｄから外し、前後調整したい方向へ移動させる。
これにより、移動させた方向へスライダ１４が移動し、これにともなって、クッション受け１２の先端が前後に移動し、可撓部１２ａの適宜のところで折れ曲がる。
座奥寸法が程良い長さとなったところで、回動レバー１８ｂを下方へ回転させて係止爪１８ａを係止溝１５ｄへ係合させる。これにより、スライダ１４は、固定される。
【符号の説明】
【００２１】
１  脚柱
１ａ  脚
１ｂ  キャスタ
２  背もたれ
２ａ  背フレーム
３  支持フレーム
５  連結ピン
１０  座体
１１  座クッション
１２  クッション受け
１２ａ  可撓部
１２ｂ  スリット
１２ｃ  繋ぎ
１２ｄ  連結材
１３  座カバー
１４  スライダ
１４ａ  ガイド
１４ｂ  連結材
１５  座フレーム
１５ａ  基材
１５ｂ  継板
１５ｃ  フランジ
１５ｄ  係止溝
１６  連結ピン
１７  ブッシュ
１８  係止部材
１８ａ  係止爪
１８ｂ  回動レバー
【図１】
2015092904.tif 000003
【図２】
2015092904.tif 000004
【図３】
2015092904.tif 000005
【図４】
2015092904.tif 000006